(57)【要約】【課題】  外部からの損傷を受けることのない標章を表示可能にして装飾部に備える共に、装飾部における限られた範囲内に多数の標章を表示可能にした空気入りタイヤを提供する。【解決手段】  サイドウォール部４の表面に、該表面４の法線方向に対して互いに反対方向に傾斜する一対の傾斜面をもつ多数のセレーションＳを配置した装飾部５を有する空気入りタイヤ１において、少なくとも一方の傾斜方向を同一にする傾斜面に凸部Ｒ及び／又は凹部Ｒ’を形成し、これら凸部Ｒ及び／又は凹部Ｒ’の集合により標章Ｑを表示する。【選択図】  図５
2004299662.tif 000002
【特許請求の範囲】
【請求項１】
サイドウォール部の表面に、該表面の法線方向に対して互いに反対方向に傾斜する一対の傾斜面をもつ多数のセレーションをタイヤ回転軸に対する放射方向又は径方向に所定の角度で傾斜させて配置した装飾部を有する空気入りタイヤにおいて、
前記一対の傾斜面に凸部及び／又は凹部を形成し、これら凸部及び／又は凹部の集合により標章を表示した空気入りタイヤ。
【請求項２】
前記一対の傾斜面の一方に表示した標章と他方に表示した標章とを互いに異ならせた請求項１に記載の空気入りタイヤ。
【請求項３】
前記セレーション間を繋ぐ底面に凸部及び／又は凹部を形成し、これら凸部及び／又は凹部の集合により標章を表示した請求項１又は２に記載の空気入りタイヤ。
【請求項４】
サイドウォール部の表面に、該表面の法線方向に対して互いに反対方向に傾斜する一対の傾斜面をもつ多数のセレーションをタイヤ回転軸に対する放射方向又は径方向に所定の角度で傾斜させて配置した装飾部を有する空気入りタイヤにおいて、
前記セレーション間を繋ぐ底面に凸部及び／又は凹部を形成し、これら凸部及び／又は凹部の集合により標章を表示した空気入りタイヤ。
【請求項５】
サイドウォール部の表面に、該表面の法線方向に対して互いに反対方向に傾斜する一対の傾斜面をもつ多数のセレーションをタイヤ周方向に平行に配置した装飾部を有する空気入りタイヤにおいて、
前記傾斜面のうち少なくとも内周側の傾斜面に凸部及び／又は凹部を形成し、これら凸部及び／又は凹部の集合により標章を表示した空気入りタイヤ。
【発明の詳細な説明】
【技術分野】
【０００１】
本発明はサイドウォール部にセレーションからなる装飾部を有する空気入りタイヤに関し、さらに詳しくは、該装飾部に表した文字、図形、記号等からなる標章の耐久性を高め、また視角に応じて異なる標章を表示可能とした空気入りタイヤに関する。
【背景技術】
【０００２】
タイヤのサイドウォール部の表面にはメーカー名、ブランド、種類などを表示するため、文字、図形、記号等からなる標章を配することが一般に行われている。そして、この標章を設けるに当り、標章の視認性を向上させたり又はタイヤの成形に起因するサイドウォール部の表面に生ずる凹凸を目立たないようにするために、所謂セレーションと称する多数の鋸刃状の突起を平行に配した環状の装飾部を上記標章と共に形成するようにしたものがある。
【０００３】
従来、このようにセレーションの装飾部に形成する文字、図形、記号等からなる標章は、通例その視認性を高めるために、図８に例示するように、標章Ｑの外表面Ｑ’の基面Ｂからの高さｈ１をセレーションＳの外表面Ｓ’の基面Ｂからの高さｈ２に比して高く（ｈ２＜ｈ１）形成し、標章ＱをセレーションＳの外表面Ｓ’からタイヤの外側に突出するように形成していた（例えば、特許文献１参照。）。
【０００４】
しかしながら、タイヤのサイドウォール部から外方に突起する標章は、しばしば外部障害物との接触により摩耗したり損傷を受けやすく、本来の表示機能が失われてしまうことがあった。更には、サイドウォール部の肉厚を必要以上に厚くすることから、経済性などの面で改善の余地を残していた。
【０００５】
さらに、車両に装着された状態で標章を見た場合に、タイヤ回転軸から路面に近い側のサイドウォール部に表示された標章は、目の高さとの違いから見難いことに加えて、逆さ文字として見えるので、標章の機能としての視認性を低下させる要因となっていた。
【特許文献１】特開平９−２０２８号公報（第１〜４頁、第１〜５図）
【発明の開示】
【発明が解決しようとする課題】
【０００６】
本発明の目的は、かかる従来の問題点を解消するもので、外部からの損傷を受けることのない標章を表示可能にして装飾部に備えると共に、装飾部における限られた範囲内に多数の標章を表示可能にした空気入りタイヤを提供することにある。
【課題を解決するための手段】
【０００７】
上記目的を達成するための本発明の空気入りタイヤは、サイドウォール部の表面に、該表面の法線方向に対して互いに反対方向に傾斜する一対の傾斜面をもつ多数のセレーションをタイヤ回転軸に対する放射方向又は径方向に所定の角度で傾斜させて配置した装飾部を有する空気入りタイヤにおいて、前記一対の傾斜面に凸部及び／又は凹部を形成し、これら凸部及び／又は凹部の集合により標章を表示したことを特徴とする。
【０００８】
さらに、本発明の空気入りタイヤは、サイドウォール部の表面に、該表面の法線方向に対して互いに反対方向に傾斜する一対の傾斜面をもつ多数のセレーションをタイヤ回転軸に対する放射方向又は径方向に所定の角度で傾斜させて配置した装飾部を有する空気入りタイヤにおいて、前記セレーション間を繋ぐ底面に凸部及び／又は凹部を形成し、これら凸部及び／又は凹部の集合により標章を表示したことを特徴とする。
【０００９】
このように、タイヤ回転軸に対する放射方向又は径方向に所定の角度で傾斜するセレーションの傾斜面及び／又は底面に文字、図形、記号等からなる標章を表示する凸部及び／又は凹部を形成したので、標章がセレーションの外表面からタイヤの外側に突出しないので外部障害物と接触することがなく、摩滅などにより早期に消失することがない。更に、傾斜方向が互いに異なる一対の傾斜面及び／又は底面にそれぞれ異なる標章を表示することにより、各傾斜面及び／又は底面に対向する位置に応じて異なる標章を視認することができるから、装飾部における限られた範囲内に多数の表示を盛り込むことを可能にする。
【００１０】
また、本発明の空気入りタイヤは、サイドウォール部の表面に、該表面の法線方向に対して互いに反対方向に傾斜する一対の傾斜面をもつ多数のセレーションをタイヤ周方向に平行に配置した装飾部を有する空気入りタイヤにおいて、前記傾斜面のうち少なくとも内周側の傾斜面に凸部及び／又は凹部を形成し、これら凸部及び／又は凹部の集合により標章を表示したことを特徴とする。
【００１１】
このように、タイヤ周方向に平行に配置したセレーションの傾斜面のうち少なくとも内周側の傾斜面に凸部及び／又は凹部を形成したので、車両に装着された状態で凸部及び／又は凹部が路面側に位置している場合において、凸部及び／又は凹部が形成された傾斜面が上方側に表われるため、タイヤ回転軸から路面側に表示された標章を容易に視認することができる。
【発明の効果】
【００１２】
上述したように、本発明の空気入りタイヤは、セレーションの傾斜面及び／又は底面に文字、図形、記号等からなる標章を表示する凸部及び／又は凹部を形成したので、標章がセレーションの外表面からタイヤの外側に突出しないので外部障害物と接触することがなく、摩滅などにより早期に消失することがない。
【００１３】
更に、傾斜方向が互いに異なる一対の傾斜面及び／又は底面にそれぞれ異なる標章を表示することにより、各傾斜面及び／又は底面に対向する位置に応じて異なる標章を視認することができるから、装飾部における限られた範囲内に多数の表示を盛り込むことを可能にする。
【００１４】
また、周方向に平行に配置したセレーションの傾斜面のうち少なくとも内周側の傾斜面に凸部及び／又は凹部を形成することにより、車両に装着された状態でタイヤ回転軸から路面側に表示された標章を容易に視認することができる。
【発明を実施するための最良の形態】
【００１５】
以下、本発明の構成につき添付の図面を参照しながら詳細に説明する。各図において、同一の構成要素には同一の符号を付し、重複した説明を省略する。
【００１６】
図１は本発明の空気入りタイヤの一例を示す一部側面図である。空気入りタイヤ１はトレッド部２とビード部３とを連結するサイドウォール部４の表面に、タイヤ周方向に延びる環状の装飾部５が形成されている。
【００１７】
サイドウォール部４の表面に形成される装飾部５の主たる役割は、タイヤを構成するカーカス層のジョイント部や巻き上げ端部の位置に生じるサイドウォール部４表面での凹凸を目立たなくすることの他に、タイヤの種類や使用法等を表示するための文字、図形、記号等からなる標章を装飾部５の面内に組み込んで形成することにより標章の視認性を高めることにある。
【００１８】
図２（ａ）は図１の装飾部５におけるＰ部を拡大して示した説明図で、図２（ｂ）は図２（ａ）の装飾部５における表面の形状を示すＡ−Ａ矢視断面図である。装飾部５にはサイドウォール部４の表面と略平行な底面Ｂからサイドウォール部４の表面の法線方向に対して互いに反対方向に傾斜する一対の傾斜面Ｓａ、Ｓｋを有しかつ底面Ｂに間隔Ｗを隔てて互いにタイヤ径方向に所定の角度で傾斜して隆起する多数のセレーションＳが配置される。
【００１９】
セレーションＳの傾斜面Ｓａ、Ｓｋには文字、図形、記号等からなる標章Ｑを表示する凸部Ｒ及び／又は凹部Ｒ’が形成される。セレーションＳの傾斜面Ｓａ、Ｓｋには、好ましくは、それぞれ異なる標章Ｑを表示する凸部Ｒ及び／又は凹部Ｒ’が形成される。
【００２０】
各傾斜面Ｓａ、Ｓｋの傾斜方向は、それぞれサイドウォール部４表面の法線方向に対して互いに反対方向になっているから、Ｘ方向から見たときは傾斜面Ｓａを視認し、Ｙ方向から見たときは傾斜面Ｓｋを視認することになる。したがって、各傾斜面Ｓａ、Ｓｋに互いに異なる標章Ｑを表示しておけば、視角に応じて２種類の異なる標章Ｑを視認することができる。
【００２１】
このように傾斜方向を同一方向とする傾斜面Ｓａ、Ｓｋにそれぞれ形成された一連の凸部Ｒ及び／又は凹部Ｒ’は、該凸部Ｒ及び／又は凹部Ｒ’を傾斜面Ｓａ、Ｓｋと直交する方向から観察した場合には、視角に応じて一連の異なる標章Ｑとして認識される。この場合において、標章Ｑの態様によっては、装飾部５におけるセレーションＳの配置方向や傾斜面Ｓａ、Ｓｋの傾斜角度、更には隣接するセレーションＳの底面Ｂ上の間隔Ｗを適宜調整する。
【００２２】
図２（ａ）及び（ｂ）では、底面Ｂから隆起するセレーションＳの断面が表面Ｓ’を有する略台形状である場合を例示したが、セレーションＳの断面形状はこれに限定されるものではなく、高さ方向に頂部を有する三角形状とする場合がある。
【００２３】
図３（ａ）〜（ｅ）は装飾部５におけるセレーションＳの傾斜面Ｓａ、Ｓｋに形成する凸部Ｒ及び／又は凹部Ｒ’の形態を例示する断面図である。傾斜面Ｓａ、Ｓｋに形成する凸部Ｒ及び／又は凹部Ｒ’は図３（ａ）〜（ｅ）にそれぞれ例示する各々の形態を適宜組み合わせてセレーションＳの傾斜方向が同じ方向の傾斜面Ｓａ、Ｓｋ上にそれぞれ一連の標章Ｑを表示するように形成する。これにより、該傾斜面Ｓａ、Ｓｋと直交する方向からタイヤを観察した場合には前記した一連の標章Ｑが認識できるようになる。
【００２４】
図４（ａ）及び（ｂ）は凸部Ｒ及び／又は凹部Ｒ’を装飾部５の底面Ｂに形成した場合の凸部Ｒ及び／又は凹部Ｒ’の形態を例示している。底面Ｂに形成する凸部Ｒ及び／又は凹部Ｒ’はセレーションＳの傾斜面Ｓａ、Ｓｋに形成する凸部Ｒ及び／又は凹部Ｒ’とは異なる標章Ｑを表示するものであっても良い。また、セレーションＳの断面形状が表面Ｓ’を有する略台形状である場合には表面Ｓ’にも底面Ｂと同じ種類の一連の標章Ｑを表示する凸部Ｒ及び／又は凹部Ｒ’を形成することが出来る。これらの凸部Ｒ及び／又は凹部Ｒ’は図３（ａ）〜（ｅ）に例示する傾斜面Ｓａ、Ｓｋに形成する凸部Ｒ及び／又は凹部Ｒ’と併せて形成することが出来る。
【００２５】
図５は本発明の空気入りタイヤ１を一定の方向から観察した場合の一部斜面図である。 空気入りタイヤ１は一対のビード部３間でトロイド状に延びるカーカス層６を骨格として、トレッド部２におけるカーカス層６の外周には２層のベルト層７が配置され、サイドウォール部４の表面にはタイヤ周方向に延びる装飾部５が形成されている。
【００２６】
図５において装飾部５に表示されている一連の標章Ｑは、これを表示する凸部Ｒ及び／又は凹部Ｒ’が形成されているセレーションＳの傾斜面Ｓａ、Ｓｋと直交する方向から観察した場合の外観を示している。したがって、本発明の空気入りタイヤ１を他の方向から観察した場合には、その方向と直交するセレーションＳの傾斜面Ｓａ、Ｓｋに形成された凸部Ｒ及び／又は凹部Ｒ’が表示する一連の標章Ｑが観察される。
【００２７】
なお、上述する実施形態では、セレーションＳがタイヤ径方向に所定の角度で傾斜して配置されている場合を例示したが、セレーションＳはタイヤ放射方向に配置されて装飾部５を形成する場合もある。
【００２８】
このように、本発明の空気入りタイヤ１は、装飾部５におけるセレーションＳの傾斜面Ｓａ、Ｓｋに標章Ｑを表示する凸部Ｒ及び／又は凹部Ｒ’を形成したので、標章ＱがセレーションＳの外表面Ｓ’からタイヤの外側に突出しないことから、標章Ｑが外部障害物と接触することがなく、摩滅などにより早期に消失することがない。更に、傾斜面Ｓａ、Ｓｋにそれぞれ異なる標章Ｑを表示した凸部Ｒ及び／又は凹部Ｒ’を形成することにより、一つのセレーションＳの傾斜面Ｓａ、Ｓｋにそれぞれ視角に応じて外観視を異にする２種類の標章Ｑを形成することができることから、装飾部５における限られた範囲内に多数の標章Ｑの表示を盛り込むことを可能にする。
【００２９】
図６はサイドウォール部４の表面に形成した装飾部５が周方向に平行に配置された多数のセレーションＳで構成されている場合を示す。図７（ａ）は図６の装飾部５におけるＲ部を拡大して示した説明図で、図７（ｂ）は図７（ａ）の装飾部５における表面の形状を示すＣ−Ｃ矢視断面図である。装飾部５にはサイドウォール部４の表面と略平行な底面Ｂからサイドウォール部４の表面の法線方向に対して互いに反対方向に傾斜する一対の傾斜面Ｓｏ、Ｓｉを有しかつ底面Ｂに間隔Ｖを隔てて互いにタイヤ径方向に所定の角度で傾斜して隆起する多数のセレーションＳが配置される。
【００３０】
セレーションＳの傾斜面Ｓｏ、Ｓｉのうち内周側の傾斜面Ｓｉには凸部及び／又は凹部を形成し、これら凸部及び／又は凹部の集合により標章を表示する。傾斜面Ｓｉに形成された標識Ｑは路面側に位置した状態で、傾斜面Ｓｉと直交する上方（Ｚ方向）から見た場合に標識Ｑとして認識されることから、標識Ｑの上部が内周側（底面Ｂ側）となるように凸部及び／又は凹部が形成される。
【００３１】
また、セレーションＳの外周側の傾斜面Ｓｏにも凸部及び／又は凹部を形成してもよいが、傾斜面Ｓｏに形成される標識Ｑは車体側に位置した状態で標識Ｑとして認識されることから、標識Ｑの上部が外周側（底面Ｂ側）となるように凸部及び／又は凹部を形成する必要がある。
【００３２】
このように、装飾部５が周方向に平行に配置したセレーションＳから構成される場合には、傾斜面Ｓｏ、Ｓｉのうち少なくとも内周側の傾斜面Ｓｉに凸部及び／又は凹部を形成することにより、車両に装着された状態でタイヤ回転軸から路面側に位置している標識Ｑが逆さ文字になることなく、容易に視認することができる。
【００３３】
なお、図６の実施形態ではセレーションＳの断面形状が表面Ｓ’を有する略台形状である場合を例示したが、セレーションＳの断面形状はこれに限定されるものではなく、表面Ｓ’を形成することなく高さ方向に頂部を有する三角形状としたり、底面Ｂに間隔Ｖを隔てずにＶ字状の底面構造にする場合がある。
【００３４】
上述した本発明の空気入りタイヤの装飾部５は、図１又は図６に例示した形態をそれぞれ単独で形成する場合のほか、双方の形態を組み合わせて形成する場合が含まれる。
【図面の簡単な説明】
【００３５】
【図１】本発明の空気入りタイヤの一例を示す一部側面図である。
【図２】（ａ）は図１のＰ部を拡大して示した説明図で、（ｂ）は（ａ）の装飾部における表面の形状を示すＡ−Ａ矢視断面図である。
【図３】（ａ）〜（ｅ）は本発明の空気入りタイヤの装飾部におけるセレーションの傾斜面に形成する凸部及び／又は凹部の形態を例示する部分断面図である。
【図４】（ａ）及び（ｂ）は本発明の空気入りタイヤの装飾部の底面に形成する凸部及び／又は凹部の形態を例示する部分断面図である。
【図５】本発明の空気入りタイヤを斜面から観察した場合の一例を示す一部斜面図である。
【図６】本発明の空気入りタイヤの他の例を示す一部側面図である。
【図７】（ａ）は図６のＲ部を拡大して示した説明図で、（ｂ）は（ａ）の装飾部における表面の形状を示すＣ−Ｃ矢視断面図である。
【図８】従来の空気入りタイヤのサイドウォール部における装飾部の表面形態を説明するための一部断面図である。
【符号の説明】
【００３６】
１  空気入りタイヤ
２  トレッド部
３  ビード部
４  サイドウォール部
５  装飾部
６  カーカス層
７  ベルト層
Ｂ  底面
Ｓ  セレーション
Ｓａ、Ｓｋ、Ｓｏ、Ｓｉ  傾斜面
Ｑ  標章
Ｒ  凸部
Ｒ’  凹部
【図１】
2004299662.tif 000003
【図２】
2004299662.tif 000004
【図３】
2004299662.tif 000005
【図４】
2004299662.tif 000006
【図５】
2004299662.tif 000007
【図６】
2004299662.tif 000008
【図７】
2004299662.tif 000009
【図８】
2004299662.tif 000010